(57)【要約】【課題】  圧胴の周面に保持された枚葉紙の印刷面の傷つきを抑制することができる多色枚葉印刷機を提供する。【解決手段】  枚葉紙を周面に保持したまま複数回回転することにより多色印刷する構成の圧胴７と、該圧胴７に対峙するように配置されて、周面に保持した枚葉紙を圧胴７に供給する給紙胴８とを備えた多色枚葉印刷機において、給紙胴８の周面形状は、給紙胴８のグリッパ装置１１が枚葉紙の前端部を咥える位置を基準の０°とした場合に枚葉紙の後端部に向けて１１５°乃至２９０°の範囲において、給紙胴８の周面と圧胴７の周面との間の隙間Ｘが、給紙胴８の中心からグリッパ装置１１が枚葉紙を咥える位置までの距離Ｒの２５％以上５０％以下となるように構成されている。【選択図】  図１
2005067063.tif 000002
【特許請求の範囲】
【請求項１】
枚葉紙を周面に保持したまま複数回回転することにより多色印刷する構成の圧胴（７）と、該圧胴（７）に対峙するように配置されて、周面に保持した枚葉紙を圧胴（７）に供給する給紙胴（８）とを備えた多色枚葉印刷機において、
給紙胴（８）の周面形状は、給紙胴（８）のグリッパ装置（１１）が枚葉紙の前端部を咥える位置を基準の０°とした場合に枚葉紙の後端部に向けて１１５°乃至２９０°の範囲において、給紙胴（８）の周面と圧胴（７）の周面との間の隙間（Ｘ）が、給紙胴（８）の中心からグリッパ装置（１１）が枚葉紙を咥える位置までの距離（Ｒ）の２５％以上５０％以下となるように構成されていることを特徴とする多色枚葉印刷機。
【発明の詳細な説明】
【技術分野】
【０００１】
本発明は、一つの圧胴が複数回回転することで多色印刷を行う構成の多色枚葉印刷機に関する。
【背景技術】
【０００２】
この種の多色枚葉印刷機は、例えば、図３に示すように、多色印刷を行う印刷部１と、該印刷部１に未印刷の枚葉紙を順次供給する給紙部２と、印刷部１から印刷が完了した枚葉紙を順次排出する排紙部３とから構成されている。
【０００３】
印刷部１は、版を周面に巻き付けて回転する版胴４と、該版胴４の版にインキを供給するインキ部５と、該版胴４に対峙するように配置されて版胴４の版上のインキ像を周面に転写するブランケット胴６と、該ブランケット胴６に対峙するように配置され、周面に保持した枚葉紙にブランケット胴６のインキ像を印刷する圧胴７とを備えている。即ち、この多色枚葉印刷機はオフセット印刷機である。
【０００４】
かかる印刷機は、圧胴７が枚葉紙を周面に保持したまま二回転することで四色印刷を行う構成である。即ち、一つの圧胴７に対して、二組のブランケット胴６及び版胴４が圧胴７の周方向に所定の角度をあけて配置されている。版胴４及びブランケット胴６は、その周面が二つの色領域（セグメント）に等分割され、各色領域にインキ像を形成する、いわゆる二倍胴であり、各版胴４は、二つの版を備え、インキ部５も版胴４毎に二組設けられている。各色領域には各々異なる色のインキ像が形成され、例えば、第一の版胴４にはシアンとブラックに対する色領域が、第二の版胴４にはマゼンタとイエローに対応した色領域がある。
【０００５】
一方、圧胴７は、その周面に枚葉紙を三枚保持できる、いわゆる三倍胴であり、周面が三つの領域（セグメント）に等分割され、各領域の前端部には、枚葉紙の前端部を咥えるグリッパ装置１０を備えている。圧胴７が一回転する間に二色分の印刷がされ、圧胴７の二回転目に残りの二色分の印刷がされて合計四色印刷が完了する。従って、枚葉紙は、圧胴７が二回転する間圧胴７の周面に保持され、その後に排出部３に排出される。
【０００６】
一方、給紙部１は、上流側のブランケット胴６より更に上流側の位置において圧胴７に対峙するように配置された給紙胴８を備え、該給紙胴８に順次枚葉紙を送り込んでその周面に保持させた後に圧胴７に供給する。この給紙胴８は、その周面に枚葉紙を一枚保持する、いわゆる単胴であり、枚葉紙の前端部を咥えるグリッパ装置１１を一つ備えている。圧胴７は、枚葉紙を保持したまま二回転するので、給紙胴８は、一回転に一枚の割合で枚葉紙を圧胴７に供給するのではなく、一回転おき、即ち、二回転に一枚の割合で圧胴７に枚葉紙を引き渡す。換言すれば、給紙胴８のグリッパ装置１１は、保持した枚葉紙を、圧胴７の２／３回転毎に一度、圧胴７のグリッパ装置１０に受け渡す。
【０００７】
また、圧胴７の下流側に配置された排紙部３は、一対の排紙スプロケット１２，１３により駆動される無端状の搬送チェーン１４と、該チェーン１４に等間隔毎に固定された排紙グリッパ装置１５とを備えている。排紙グリッパ装置１５は、圧胴７から印刷済みの枚葉紙を圧胴７の２／３回転毎に一度受け取る。
【０００８】
尚、図３において、圧胴７の三つのグリッパ装置１０が咥える枚葉紙Ｐ１、Ｐ２、Ｐ３はそれぞれ、一色のみ印刷されたもの（Ｐ１）、四色目が印刷中のもの（Ｐ２）、二色のみ印刷されて二回転目に移行中のもの（Ｐ３）である。
【特許文献１】特開２００２−１９２６９０号公報
【発明の開示】
【発明が解決しようとする課題】
【０００９】
ところで、圧胴７の一回転目に二色刷りされた枚葉紙Ｐ３は、排紙部３に排紙されずに再び給紙胴８の近傍を通過することになる。従って、通過する際に、既に二色印刷された枚葉紙Ｐ３の印刷面が給紙胴８の周面に接触して印刷面に傷が生じることがあった。
【００１０】
そこで、本発明は、上記従来の問題に鑑みてなされ、圧胴の周面に保持された枚葉紙の印刷面の傷つきを抑制することができる多色枚葉印刷機を提供することを課題とする。
【課題を解決するための手段】
【００１１】
本発明は、上記課題を解決すべくなされたものであり、本発明に係る多色枚葉印刷機は、枚葉紙を周面に保持したまま複数回回転することにより多色印刷する構成の圧胴と、該圧胴に対峙するように配置されて、周面に保持した枚葉紙を圧胴に供給する給紙胴とを備えた多色枚葉印刷機において、給紙胴の周面形状は、給紙胴のグリッパ装置が枚葉紙の前端部を咥える位置を基準の０°とした場合に枚葉紙の後端部に向けて１１５°乃至２９０°の範囲において、給紙胴の周面と圧胴の周面との間の隙間が、給紙胴の中心からグリッパ装置が枚葉紙を咥える位置までの距離の２５％以上５０％以下となるように構成されていることを特徴とする。
【００１２】
該印刷機にあっては、給紙胴の半径が、１１５°乃至２９０°の範囲において従来の給紙胴よりも小さくなっている。従って、その範囲において給紙胴の周面と圧胴の周面との間の隙間が、給紙胴の基準半径（給紙胴の中心からグリッパ装置が枚葉紙を咥える位置までの距離）の２５％以上５０％以下となって、従来よりも大きな隙間があくこととなる。
【発明の効果】
【００１３】
本発明の多色枚葉印刷機にあっては、給紙胴の半径が局所的に小さく形成されているので、圧胴の周面との隙間が大きくなり、圧胴の周面に保持された枚葉紙が給紙胴の近傍を通過する際に生じやすい印刷面の傷つきが抑制されることとなる。
【発明を実施するための最良の形態】
【００１４】
以下、本発明に係る多色印刷機の一実施形態について図面を参酌しつつ説明するが、従来と同様の構成についてはその詳細な説明を省略する。
本実施形態における多色枚葉印刷機は、図３に示したものと給紙胴８のみが異なっているものであり、以下、給紙胴８について詳細に説明する。
図１及び図２に本実施形態における給紙胴８が示されている。給紙胴８は、給紙胴軸２０が印刷機の左右のフレーム２１，２２に軸受けとしてのボールベアリング２３を介して回転自在に軸支されており、印刷機の駆動源からギヤ列により回転駆動力が供給されて圧胴７等と同期して回転する。
【００１５】
該給紙胴軸２０には、その軸方向に間隔をおいて複数（本実施形態では計５枚）の板状部材２４が装着されている。給紙胴軸２０は各板状部材２４を貫通している。給紙胴８は、その周面に枚葉紙を保持するため、枚葉紙の前端部を咥えるグリッパ装置１１を備えている。該グリッパ装置１１は、給紙胴８の軸方向に間隔をおいて列設されたグリッパ３０を備えている。該グリッパ３０の爪部３０ａと協働して枚葉紙を咥える座面３０ｂは、給紙胴軸２０と平行に設けられた棒状の受け部材２５の表面に形成され、棒状の受け部材２５は各板状部材２４にボルト２６により固定されている。
【００１６】
一方、グリッパ装置１１に対して略１８０°対向した位置には、バランスウエイト４０が配置されている。グリッパ装置１１は重量物であるため、それとのバランスをとるためにバランスウエイト４０が設けられている。該バランスウエイト４０は、給紙胴８の軸方向に伸びる棒状であって、ボルト４１により板状部材２４に固定されている。
【００１７】
そして、給紙胴８の周面は、複数の帯状のペーパーガイドプレート４２により構成されている。該ペーパガイドプレート４２は、グリッパ装置１１の箇所を除いて周方向に沿って設けられている。該ペーパガイドプレート４２は、薄肉板状であり、幅略一定の帯状である。図２のようにペーパガイドプレート４２は給紙胴８の軸方向に間隔をおいて複数配置され、具体的には、各板状部材２４毎に合計五箇所に配置されている。ペーパガイドプレート４２は、バランスウエイト４０及び板状部材２４にネジ止めされている。尚、本実施形態では、一つのペーパガイドプレート４２は、周方向の略中央で二つに分断されており、二つの帯状片４２ａ，４２ｂから一つのペーパガイドプレート４２が構成されている。
【００１８】
このように、給紙胴８の周面はペーパガイドプレート４２の外面から構成され、グリッパ装置１１によってその前端部を咥えられた枚葉紙は、ペーパガイドプレート４２の外面によって支持される。ここで、給紙胴８の周面は従来よりも小径となっている。給紙胴８の基準半径Ｒは、給紙胴８の中心からグリッパ装置１１が枚葉紙の前端部を咥える位置までの距離であり、その基準半径Ｒは、給紙胴８の中心から圧胴７の周面までの距離と略等しい。そして、給紙胴８の中心からペーパガイドプレート４２の外面までの距離は、その基準半径Ｒよりも小さく、特に、バランスウエイト４０付近で局所的に小さくなっている。具体的には、グリッパ装置１１が枚葉紙の前端部を咥える位置を基準の０°とした場合において、そこから枚葉紙の後端部側に向けて（図１の矢印１００の方向に向けて）１１０°乃至２９０°の範囲における、給紙胴８の中心からペーパガイドプレート４２の外面までの距離が、基準半径の５０％以上７５％以下となっている。尚、給紙胴８の回転方向は図１の矢印１０１の方向である。従って、その範囲においては、圧胴７の周面との間の隙間Ｘは、基準半径Ｒの２５％以上５０％以下となる。
【００１９】
このように給紙胴８の周面が局所的に小さくなっているので、図１のように、圧胴７に保持されて二回転目に移行する枚葉紙Ｐ３が給紙胴８の近傍を通過する際に、給紙胴８即ちペーパガイドプレート４２と接触しにくくなり、その接触が原因となって生じる枚葉紙Ｐ３の印刷面の傷つきが抑制される。
【図面の簡単な説明】
【００２０】
【図１】本発明の一実施形態に係る多色枚葉印刷機の給紙胴付近を示す正面図。
【図２】同印刷機の給紙胴付近の断面図。
【図３】従来の多色枚葉印刷機の概略正面図。
【符号の説明】
【００２１】
１…印刷部、２…給紙部、３…排紙部、４…版胴、５…インキ部、６…ブランケット胴、７…圧胴、８…給紙胴、１０，１１…グリッパ装置、１２，１３…排紙スプロケット、１４…搬送チェーン、１５…排紙グリッパ装置、２０…給紙胴軸、２１，２２…フレーム、２３…ボールベアリング、２４…板状部材、２５…受け部材、３０…グリッパ、４０…バランスウエイト、４２…ペーパガイドプレート
【図１】
2005067063.tif 000003
【図２】
2005067063.tif 000004
【図３】
2005067063.tif 000005